(57)【要約】【課題】ハウジングを構成する２つの平面板が交わる稜部分に対して導光部材を容易に取り付けることができるハウジング構造を提供する。【解決手段】ハウジング１内から導光部材４の主部４０を透光窓５に挿通し、前壁１１内面に突出部４１を当接させた状態で前壁１１内面から離れる向きに突出部４１を回動して腕部４２，４２を側壁１０内面に当接させる。そこから、側壁１０内面に腕部４２，４２を当接させた状態で主部４０並びに当接部４１をハウジング１内へ平行移動して透光窓５に主部４０を嵌合すれば、腕部４２，４２先端の係止突起４３，４３が係止部１７，１９と係止するから、従来例のように透光窓に対して導光部材の挿通角度を厳密に合わせる必要がない。その結果、ハウジング１を構成する２つの平面板（側板１０，前板１１）が交わる稜部分に対して導光部材４を容易に取り付けることができる。【選択図】図１
2008027714.tif 000002
【特許請求の範囲】
【請求項１】
箱状に形成されたハウジングの内部に表示用の発光体を収納し、ハウジングに設けた透光窓に導光部材を嵌合して当該導光部材により発光体が発する光をハウジング外へ導光するようにしたハウジング構造において、
ハウジングを構成する２つの平面板が交わる稜部分にて当該２つの平面板に跨って透光窓を貫通し、
導光部材は、透光窓に挿通可能であり且つ透光窓に嵌合する主部と、主部より突出しハウジング内から透光窓に挿通した主部の先端部がハウジング外に進出した状態で一方の平面板の内面に当接する突出部と、主部又は突出部より他方の平面板内面に沿って突出した腕部と、腕部の先端に設けられ他方の平面板内面より突出した係止部と係止する係止突起とを備え、
腕部は、突出部が一方の平面板内面に当接している状態では他方の平面板内面から離間し、一方の平面板内面から離れる向きに突出部を回動したときに他方の平面板内面と当接し、他方の平面板内面に当接した状態で主部並びに当接部をハウジング内へ平行移動して透光窓に主部を嵌合したときに先端の係止突起が係止部と係止することを特徴とするハウジング構造。
【請求項２】
前記稜部分に複数の透光窓を貫通し、ハウジング内における各透光窓の間に遮光壁を設けたことを特徴とする請求項１記載のハウジング構造。
【発明の詳細な説明】
【技術分野】
【０００１】
本発明は、箱状に形成されたハウジングの内部に表示用の発光体を収納し、ハウジングに設けた透光窓に導光部材を嵌合して当該導光部材により発光体が発する光をハウジング外へ導光するようにしたハウジング構造に関するものである。
【背景技術】
【０００２】
この種のハウジング構造として、例えば、特許文献１に記載されているランプ付表示装置のハウジング構造がある。特許文献１に記載されているものは、発光ダイオードと、発光ダイオードの前面側に配設され発光ダイオードの光軸に対して傾斜した表示面を有するハウジングと、透明性部材又は半透明性部材のいずれかの部材で大略柱状に形成され発光ダイオードの前面側に大略柱状の中心軸を光軸に略合わせて配設され、発光ダイオードに対向する一端面が光軸に対して略垂直を成す平面状の発光ダイオード対向面とされるとともに、他端面が前記表示面から露出して外部に臨む投光面とされてなる導光部とを有するランプ付表示装置において、前記投光面を、前記発光ダイオード対向面に対して鋭角を成し、前記中心軸と略平行に前記発光ダイオード対向面から導光部に入射する光を前記表示面に対して略垂直方向に屈折透過させるように形成したものである。
【特許文献１】特開平１１−７８１５号公報
【発明の開示】
【発明が解決しようとする課題】
【０００３】
特許文献１に記載されている従来例では、ハウジング前面の平坦な表示面に設けた貫通孔に対して位置及び角度を合わせて導光部の柱状部分を挿通してハウジングに導光部が取り付けられるのであるが、ハウジングを構成する２つの平面板が交わる稜部分にて当該２つの平面板に跨って貫通した透光窓に導光部を嵌合する場合、特に透光窓に対する挿通角度が合わせ辛いという問題があった。
【０００４】
本発明は上記事情に鑑みて為されたものであり、その目的は、ハウジングを構成する２つの平面板が交わる稜部分に対して導光部材を容易に取り付けることができるハウジング構造を提供することにある。
【課題を解決するための手段】
【０００５】
請求項１の発明は、上記目的を達成するために、箱状に形成されたハウジングの内部に表示用の発光体を収納し、ハウジングに設けた透光窓に導光部材を嵌合して当該導光部材により発光体が発する光をハウジング外へ導光するようにしたハウジング構造において、ハウジングを構成する２つの平面板が交わる稜部分にて当該２つの平面板に跨って透光窓を貫通し、導光部材は、透光窓に挿通可能であり且つ透光窓に嵌合する主部と、主部より突出しハウジング内から透光窓に挿通した主部の先端部がハウジング外に進出した状態で一方の平面板の内面に当接する突出部と、主部又は突出部より他方の平面板内面に沿って突出した腕部と、腕部の先端に設けられ他方の平面板内面より突出した係止部と係止する係止突起とを備え、腕部は、突出部が一方の平面板内面に当接している状態では他方の平面板内面から離間し、一方の平面板内面から離れる向きに突出部を回動したときに他方の平面板内面と当接し、他方の平面板内面に当接した状態で主部並びに当接部をハウジング内へ平行移動して透光窓に主部を嵌合したときに先端の係止突起が係止部と係止することを特徴とする。
【０００６】
請求項２の発明は、請求項１の発明において、前記稜部分に複数の透光窓を貫通し、ハウジング内における各透光窓の間に遮光壁を設けたことを特徴とする。
【発明の効果】
【０００７】
請求項１の発明によれば、ハウジング内から導光部材の主部を透光窓に挿通し、一方の平面板の内面に突出部を当接させた状態で当該平面板内面から離れる向きに突出部を回動して腕部を他方の平面板内面に当接させ、そこから、他方の平面板内面に腕部を当接させた状態で主部並びに当接部をハウジング内へ平行移動して透光窓に主部を嵌合すれば、腕部先端の係止突起が他方の平面板内面より突出した係止部と係止するから、従来例のように透光窓に対して導光部材の挿通角度を厳密に合わせる必要がなく、その結果、ハウジングを構成する２つの平面板が交わる稜部分に対して導光部材を容易に取り付けることができる。
【０００８】
請求項２の発明によれば、ハウジングの稜部分に貫通した複数の透光窓の間に遮光壁を設けているので、一の透光窓を通してハウジング外に放射されるべき光が漏れて隣の透光窓を通してハウジング外へ放射されるのを防ぐことができる。
【発明を実施するための最良の形態】
【０００９】
以下、ネットアダプタと呼ばれる通信装置に本発明を適用した実施形態について図面を参照して詳細に説明する。
【００１０】
本実施形態における通信装置（ネットアダプタ）は、住戸に設置された防犯又は防災用のセキュリティセンサの検出状況を監視する監視装置との間で無線通信するとともに、監視装置から無線通信で受信した監視情報（火災発生や不審者の侵入などの異常検出情報）を住戸に敷設されているネットワーク回線（公衆電話回線、ＣＡＴＶ回線、光ファイバ回線など）を介して遠隔地に設置されているセンターサーバに送信し、センターサーバを介して当該住戸の住人が携帯する通信端末（例えば、インターネット接続機能を有する携帯電話機など）へ監視情報を伝送するものであって、そのハウジング１には電源が供給されているときに点灯（発光）する電源モニタ用の表示部と、監視装置との間で無線通信をしているときに点灯（発光）する受信モニタ用の表示部とが設けられている。
【００１１】
ハウジング１は、図３に示すように合成樹脂成形品からなるボディ２とカバー（図示せず）を結合することによって扁平な略直方体状に形成されている。ボディ２は、図３における下側の側面が開口した箱状に形成されており、上述のような通信装置の機能を実現するための回路並びに電源モニタ用の表示部と受信モニタ用の表示部をそれぞれ構成する発光体（発光ダイオード）ＬＤ１，ＬＤ２などが実装されたプリント配線板３を内部に収納し、平板状に形成されたカバーが結合されることで開口面が塞がれる。ここで、図３における上側の平面板を側板１０、右側で側板１０と交わる平面板を前板１１、手前側で側板１０並びに前板１１と交わる平面板を底板１２と呼ぶことにする。そして、側板１０と前板１１とが交わる稜部分に、２つの透光窓５，５が側板１０及び前板１１に跨って貫設されている。なお、底板１２に前後左右２列に並べて貫設された合計４つの取付孔６は、底板１２を下にしてハウジング１を設置する場合にハウジング１を支持する支持台（図示せず）を取り付けるためのものである。
【００１２】
透光窓５，５は、図１に示すように側板１０に貫設された幅細の溝孔と前板１１に貫設された同一幅の溝孔とを稜部分において結合する形に形成されている。ボディ２の内側では、図１（ａ）に示すように２つの透光窓５，５の間において底板１２と平行に立ち上がる略Ｌ字形の遮光壁１３が側板１０から突設されるとともに、それぞれに透光窓５，５を挟んで遮光壁１３と対向し且つ底板１２と平行に立ち上がる平板状の立壁１４，１４が側板１０から突設されている。立壁１４，１４の先端は、それぞれ側壁１０及び前板１１に沿って透光窓５，５の先端よりも突出しており、側壁１０に沿った先端には遮光壁１３に近付く向きに突出し且つ前壁１１と略平行である薄板状の仮止め部１５，１５が形成されている。この仮止め部１５，１５には、ボディ２の開口面に近付くにつれて立壁１４，１４からの突出寸法が徐々に短くなる向きに傾斜する傾斜面１５ａが部分的に設けられている。また、立壁１４，１４の先端からは、立壁１４，１４よりも側壁１０からの突出寸法が短い延出部１６，１６が延出され、これらの延出部１６，１６の先端には遮光壁１３に近付く向きに突出し且つ前壁１１と略平行である薄板状の係止部１７，１７が突設されている。なお、係止部１７，１７の先端部分には、透光窓５，５に近付くにつれて延出部１６，１６からの突出寸法が徐々に短くなる向きに傾斜する傾斜面１７ａが設けられている。
【００１３】
一方、遮光壁１３は、立壁１４，１４の先端に設けられた仮止め部１５，１５と対向する位置に仮止め部１８，１８が突設されている。これらの仮止め部１８，１８は立壁１４，１４の仮止め部１５，１５と互いに鏡像の関係になっており、ボディ２の開口面に近付くにつれて遮光壁１３からの突出寸法が徐々に短くなる向きに傾斜する傾斜面１８ａが部分的に設けられている。また、側壁１０に沿った遮光壁１３の先端には、それぞれ立壁１４，１４に近付く向きに突出するとともに延出部１６，１６先端の係止部１７，１７と対向し且つ前壁１１と略平行である薄板状の係止部１９，１９が突設されている。なお、係止部１９，１９の先端部分には、透光窓５，５に近付くにつれて遮光壁１３からの突出寸法が徐々に短くなる向きに傾斜する傾斜面１９ａが設けられている。
【００１４】
導光部材４は透光性を有する合成樹脂成形品からなり、図１及び図３に示すように透光窓５に挿通可能であり且つ透光窓５に嵌合する主部４０と、主部４０より突出しハウジング１（ボディ２）内から透光窓５に挿通した主部４０の先端部がハウジング１（ボディ２）外に進出した状態で一方の平面板（前板１１）の内面に当接する突出部４１と、突出部４１より他方の平面板（側壁１０）内面に沿って突出した一対の腕部４２，４２と、腕部４２，４２の先端に設けられて係止部１７，１９と各別に係止する係止突起４３，４３とを備えている。主部４０は扁平な略矩形板状であり、扁平な略台形板状の突出部４１が主部４０の角部分からほぼ対角線に沿った方向へ突出している。腕部４２，４２は幅細の帯板状であって、透光窓５に嵌合したときに側壁１０の外面と面一となる主部４０の側端面に対して長手方向がほぼ平行になるように、突出部４１の両側面から各々突出している。腕部４２の先端に設けられた係止突起４３は、他方の腕部４２から離れる向きに突出し且つ先端に近付くにつれて突出寸法が短くなるような略三角柱状に形成されている。なお、突出部４１先端における腕部４２から離れた側の角部分には、四角柱状の突部４４が突設されている。
【００１５】
上述のような構造を有するハウジング１（ボディ２）の透光窓５に導光部材４を取り付ける手順について、図１及び図２を参照して説明する。
【００１６】
まず、図１（ａ），（ｅ）に示すように側壁１０並びに前壁１１の内面に対して主部４０及び腕部４２，４２を傾け、その傾けた状態のまま、ボディ２の内側から透光窓５に導光部材４の主部４０を挿入する。ここで、透光窓５における側壁１０内面側の端部には、稜部分に向かって側壁１０の外へ傾斜したガイド面５ａが形成されており、このガイド面５ａに主部４０の側端面を摺接させれば、上述のように側壁１０並びに前壁１１の内面に対して主部４０及び腕部４２，４２を傾けた状態のままで導光部材４の主部４０を容易に透光窓５に挿入することができる（図１（ｂ），（ｆ）参照）。ここで、突出部４１がボディ２の前壁１１内面に当接する位置まで導光部材４を透光窓５に挿入した状態では、図１（ｆ）に示すように主部４０の先端部分が透光窓５を通してボディ２の外に突出することになる。また、このように突出部４１が前壁１１内面に当接している状態では腕部４２，４２が側壁１０内面から離間している。
【００１７】
次に、突出部４１が前壁１１内面から離れる向き（図１（ｆ）における反時計回りの向き）に導光部材４を回動させて腕部４２，４２を側壁１０内面に当接させる（図１（ｇ）参照）。このとき、腕部４２，４２は傾斜面１５ａ，１８ａにそれぞれ案内されて対向する仮止め部１５，１８の間に入り込むのであるが、仮止め部１５，１８間の間隔が腕部４２，４２の外側面間の間隔よりも僅かに短くなっているため、側壁１０内面に当接した腕部４２，４２が互いに近付く向きに撓められ、撓められた腕部４２，４２の復元力によって導光部材４が仮止め部１５，１８に仮止めされることになる（図１（ｃ）参照）。また、仮止めされた状態では主部４０の先端部分が透光窓５を通して前壁１１外面より突出している（図１（ｇ）並びに図２参照）。
【００１８】
続いて、ボディ２の外側から主部４０の先端部分を押すことにより、腕部４２，４２が側壁１０内面に当接した状態で導光部材４をボディ２内へ平行移動させる。そうすると、係止部１７，１９に腕部４２，４２先端の係止突起４３，４３が当接し、係止部１７，１９の傾斜面１７ａ，１９ａに案内されて各腕部４２，４２が互いに近付く向きに撓められ、やがて係止部１７，１９の先端を係止突起４３，４３が乗り越えると、それまで撓められていた腕部４２，４２が互いに離れる向きに復帰して係止突起４３，４３が係止部１７，１９と係止し、主部４０が透光窓５に嵌合した状態で導光部材４がボディ２に対して固定されることになる（図１（ｄ），（ｈ）参照）。
【００１９】
上述のようにしてハウジング１（ボディ２）に取り付けられた導光部材４は、プリント配線板３に実装された発光ダイオードＬＤ１又はＬＤ２が発する光を突出部４１の先端面から取り込み、突出部４１並びに主部４０の内部を反射させて透光窓５からハウジング１外へ露出している主部４０の側端面より放射させるのである。なお、突出部４１先端の角部分から突出する突部４４によって前壁１１側におけるプリント配線板３と導光部材４との隙間が狭められており、一方の表示部から他方の表示部への光の回り込みを抑制している。
【００２０】
このように本実施形態によれば、ハウジング１内から導光部材４の主部４０を透光窓５に挿通し、一方の平面板（前壁１１）の内面に突出部４１を当接させた状態で前壁１１内面から離れる向きに突出部４１を回動して腕部４２，４２を他方の平面板（側壁１０）内面に当接させ、そこから、側壁１０内面に腕部４２，４２を当接させた状態で主部４０並びに当接部４１をハウジング１内へ平行移動して透光窓５に主部４０を嵌合すれば、腕部４２，４２先端の係止突起４３，４３が係止部１７，１９と係止するから、従来例のように透光窓に対して導光部材の挿通角度を厳密に合わせる必要がなく、その結果、ハウジング１を構成する２つの平面板（側板１０，前板１１）が交わる稜部分に対して導光部材４を容易に取り付けることができる。さらに、ハウジング１の稜部分に貫通した複数（本実施形態では２つ）の透光窓５，５の間に遮光壁１３を設けているので、一の透光窓５を通してハウジング１外に放射されるべき光が漏れて隣の透光窓５を通してハウジング１外へ放射されるのを防ぐことができる。
【図面の簡単な説明】
【００２１】
【図１】（ａ）〜（ｈ）は本実施形態におけるハウジングへの導光部材の取付手順を説明するための説明図である。
【図２】同上における取付途中のボディと導光部材を示す一部省略した斜視図である。
【図３】同上の一部省略した分解斜視図である。
【符号の説明】
【００２２】
１  ハウジング
２  ボディ
４  導光部材
５  透光窓
１０  側板（平面板）
１１  前板（平面板）
１３  遮光壁
１４  立壁
１７  係止部
１９  係止部
４０  主部
４１  突出部
４２  腕部
４３  係止突起
【図１】
2008027714.tif 000003
【図２】
2008027714.tif 000004
【図３】
2008027714.tif 000005